(57)【要約】【課題】背もたれの高さと背支点の高さを別々に変える。背もたれの高さやデザインを変えて椅子を使用できるようにする。部品としての背もたれの種類を減らす。【解決手段】上下左右を変えることで取り付けた状態の高さやデザインが変化する背もたれ１を備える。係止状態では背もたれ１を支持部材３の取付位置４に固定し、係止解除状態では背もたれ１の回転を可能にする取付手段６を備える。背もたれ１は上側又は下側に偏倚した位置に背支点を設け、この背支点の部分２を支持部材３の取付位置４に取り付ける。【選択図】        図１
2004208878.tif 000002
【特許請求の範囲】
【請求項１】
回転させて上下左右を変えることで取り付けた状態の高さやデザインが変化する背もたれを備えることを特徴とする椅子の背もたれ構造。
【請求項２】
回転させて上下左右を変えることで取り付けた状態の背支点の高さが変化する背もたれを備えることを特徴とする椅子の背もたれ構造。
【請求項３】
回転させて上下左右を変えることで取り付けた状態の高さやデザインと背支点の高さが変化する背もたれを備えることを特徴とする椅子の背もたれ構造。
【請求項４】
係止状態では前記背もたれを支持部材の取付位置に固定し、係止解除状態では前記背もたれの回転を可能にする取付手段を備えることを特徴とする請求項１から３のいずれかに記載の椅子の背もたれ構造。
【請求項５】
前記背もたれは上側又は下側に偏倚した位置に背支点を設け、この背支点の部分を支持部材の取付位置に取り付けることを特徴とする請求項１記載の椅子の背もたれ構造。
【請求項６】
前記背もたれは上側又は下側に偏倚した位置に背支点を設け、この背支点の部分から上側又は下側にずれた部分を支持部材の取付位置に取り付けることを特徴とする請求項１から３のいずれかに記載の椅子の背もたれ構造。
【請求項７】
前記背もたれの上側又は下側に偏倚した位置に凸部を設け、前記背もたれの上下がいずれの場合にも前記凸部を支持部材の取付位置に載せて係止することを特徴とする請求項１から３のいずれかに記載の椅子の背もたれ構造。
【発明の詳細な説明】
【０００１】
【発明の属する技術分野】
本発明は、椅子の背もたれ構造に関する。さらに詳述すると、背もたれの高さや背支点の高さを変えることができる椅子の背もたれ構造に関するものである。なお、本明細書において「屈曲」には「湾曲」も含んでおり、背板が折れている場合に限らず曲がっている場合をも含んでいる。
【０００２】
【従来の技術】
従来、背もたれの高さを変えることができる背もたれ構造として、例えば実用新案登録第３０６３７３１号（実願平１１−３１５５号）公報に掲載されたものがある。かかる背もたれ構造では、図２４及び図２５に示すように、支え部１０１の垂直段１０２に背もたれ１０３の嵌合部１０４を嵌め込むことで、背もたれ１０３を上下に移動可能にしている。垂直段１０２には張り部１０５が固着されており、この張り部１０５には、嵌合部１０４に設けられたスロット１０６を通して調整ボルトユニット１０７がねじ込まれている。
【０００３】
背もたれ１０３の高さを変える場合には、調整ボルトユニット１０７を緩めた後、背もたれ１０３を垂直段１０２に沿って上下に移動させる。このようにして背もたれ１０３の高さ調整を行った後、調整ボルトユニット１０７を締め付けることで、背もたれ１０３を固定することができる。
【０００４】
【特許文献１】
実用新案登録第３０６３７３１号公報
【０００５】
【発明が解決しようとする課題】
しかしながら、上述の背もたれ構造では、背もたれ１０３の高さを変えるために背もたれ１０３全体を上下に移動させるので、背もたれ１０３の高さと一緒に背支点（背もたれの幅方向の中心位置における最も前方に突出した部分）の高さも変化してしまう。このため、背支点の高さを変えずに背もたれ１０３の高さを変えることや、逆に、背もたれ１０３の高さを変えずに背支点の高さを変えることができなかった。
【０００６】
また、上述の背もたれ構造では、背もたれ１０３の大きさやデザインが異なる別の種類の椅子を製造する場合、椅子の種類毎に高さやデザインが異なる背もたれ１０３が必要になり、背もたれ１０３の種類が多くなって製造コストを上昇させていた。
【０００７】
さらに、上述の背もたれ構造を採用した椅子では、使用目的や気分等に応じて背もたれ１０３の高さやデザインを変えることができなかった。
【０００８】
本発明は、背もたれの高さと背支点の高さを別々に変えることができる椅子の背もたれ構造を提供することを目的とする。また、本発明は、背もたれの高さやデザインを変えて椅子の使用を可能にする椅子の背もたれ構造を提供することを目的とする。さらに、本発明は、異なる種類の椅子であっても部品としての背もたれを共通化できる椅子の背もたれ構造を提供することを目的とする。
【０００９】
【課題を解決するための手段】
かかる目的を達成するために請求項１記載の椅子の背もたれ構造は、回転させて上下左右を変えることで取り付けた状態の高さやデザインが変化する背もたれを備えるものである。
【００１０】
したがって、背もたれを回転させてその上下を逆にしたり、左右を上下にすることで、背もたれの高さが変わる。また、例えば、背もたれの上部分と下部分のデザインを変えておけば、背もたれの上下を逆にすることで、背もたれのデザインが変化する。背もたれの上下を逆にする作業は、工場の製造ラインで椅子の製造時に行っても良いし、椅子の購入後に使用者が適宜行っても良い。即ち、椅子の製造時に背もたれの上下左右を変えることで、同じ背もたれを使用して異なる椅子を製造することができる。また、使用者が背もたれの上下左右を変えることで、使用目的等に応じて椅子を変形させることができる。
【００１１】
また、請求項２記載の椅子の背もたれ構造は、回転させて上下左右を変えることで取り付けた状態の背支点の高さが変化する背もたれを備えるものである。
【００１２】
したがって、背もたれを回転させてその上下を逆にしたり、左右を上下にすることで、背もたれの背支点の高さが変わる。背もたれの上下を逆にする作業は、工場の製造ラインで椅子の製造時に行っても良いし、椅子の購入後に使用者が適宜行っても良い。即ち、椅子の製造時に背もたれの上下左右を変えることで、同じ背もたれを使用して背支点の高さが異なる椅子を製造することができる。また、購入後に使用者が背もたれの上下左右を変えることで、使用目的等に応じて背支点の高さを変化させることができる。
【００１３】
また、請求項３記載の椅子の背もたれ構造は、回転させて上下左右を変えることで取り付けた状態の高さやデザインと背支点の高さが変化する背もたれを備えるものである。したがって、背もたれを回転させてその上下を逆にしたり、左右を上下にすることで、背もたれの高さやデザインと背支点の高さを一緒に変えることができる。
【００１４】
また、請求項４記載の椅子の背もたれ構造は、係止状態では背もたれを支持部材の取付位置に固定し、係止解除状態では背もたれの回転を可能にする取付手段を備えるものである。
【００１５】
したがって、取付手段を係止解除状態にすることで背もたれが回転可能になり、取付手段を係止状態にすることで背もたれを支持部材の取付位置に固定することができる。すなわち、取付手段の操作によって背もたれを回転可能にしたり、回転不能にしたりすることができる。
【００１６】
また、請求項５記載の椅子の背もたれ構造は、背もたれは上側又は下側に偏倚した位置に背支点を設け、この背支点の部分を支持部材の取付位置に取り付けている。
【００１７】
したがって、背もたれの背支点の部分から上端までの距離と背支点の部分から下端までの距離が異なるので、背もたれの上下を逆にすると背もたれの高さやデザインが変化する。一方、背支点の部分を支持部材に取り付けるので、背もたれの上下を逆にしても背支点の部分の高さは変化しない。即ち、背支点の高さを変えることなく、背もたれの高さやデザインを変えることができる。
【００１８】
また、請求項６記載の椅子の背もたれ構造は、背もたれは上側又は下側に偏倚した位置に背支点を設け、この背支点の部分から上側又は下側にずれた部分を支持部材の取付位置に取り付けている。
【００１９】
したがって、背もたれの背支点の部分から上端までの距離と背支点の部分から下端までの距離が異なるので、背もたれの上下を逆にすると背もたれの高さやデザインが変化する。一方、背もたれの上下を逆にしても、常に背支点の部分の下側となる部分、又は常に背支点の部分の上側となる部分を支持部材に取り付けることで背支点の部分の高さは変化しない。即ち、背支点の高さを変えることなく、背もたれの高さやデザインを変えることができる。また、常に背もたれの同一部分を支持部材に取り付けることで、背もたれの上下を逆にすると背支点の部分の高さが変化する。即ち、背もたれの高さと一緒に背支点の高さも変えることができる。
【００２０】
また、請求項７記載の椅子の背もたれ構造は、背もたれの上側又は下側に偏倚した位置に凸部を設け、背もたれの上下がいずれの場合にも凸部を支持部材の取付位置に載せて係止するものである。
【００２１】
したがって、背もたれの上端から凸部までの距離と下端から凸部までの距離が異なるので、背もたれの上下を逆にすると背もたれの高さを変化させることができる。
【００２２】
【発明の実施の形態】
以下、本発明の構成を図面に示す最良の形態に基づいて詳細に説明する。
【００２３】
図１及び図２に、本発明を適用した椅子の背もたれ構造の第１の実施形態を示す。椅子の背もたれ構造（以下、単に背もたれ構造という）は、上下左右を変えることで取り付けた状態の高さが変化する背もたれ１を備えるものである。背もたれ１は上側又は下側に偏倚した位置で屈曲しており、屈曲部分２を支持部材３の取付位置４に取り付けている。即ち、背もたれ１は上側又は下側に偏倚した位置に背支点を設け、この背支点の部分を支持部材３の取付位置４に取り付けている。
【００２４】
背もたれ１は、例えば背長部１ａと背短部１ｂより構成されている。背もたれ１の屈曲部分２が背支点となっている。また、支持部材３は例えば背支桿であり、座板５を支持する支柱１４に取り付けられている。支持部材３の先端に背もたれ１が取り付けられている。
【００２５】
この背もたれ構造は、係止状態では背もたれ１を支持部材３の取付位置４に固定し、係止解除状態では背もたれ１の回転を可能にする取付手段６を備えている。取付手段６を図３及び図４に示す。取付手段６は、背もたれ１の屈曲部分２の裏面に固着されたブラケット７と、このブラケット７に支持部材３の先端を固定するねじ部材８より構成されている。ブラケット７にはねじ部材８を貫通させる孔９が設けられており、ブラケット７の内側面には孔９を塞ぐようにしてナット１０が固着されている。また、支持部材３の前面には、ブラケット７を上下に挟む回転止め突部１１が形成されている。ブラケット７を上下の回転止め突部１１間に配置することで、支持部材３に対するブラケット７の回転を防止することができる。支持部材３の上下の回転止め突部１１間が取付位置４である。
【００２６】
背もたれ１の高さを変える場合には、取付手段６を係止解除状態にすれば良い。即ち、締め付けたねじ部材８を緩めれば良い。ねじ部材８を緩めることで支持部材３とブラケット７の間に隙間があくので、上下の回転止め突部１１からブラケット７を外して背もたれ１を回転させることができる。
【００２７】
背もたれ１を回転させてその上下を逆にした後、ねじ部材８を締めると、ブラケット７と支持部材３の隙間が無くなり、ブラケット７が上下の回転止め突部１１間に入り込み、背もたれ１が支持部材３に固定される。なお、ねじ部材８を完全にナット１０から外した状態で背もたれ１を回転させても良い。
【００２８】
図１に示す状態から背もたれ１の上下を逆にすると、図２に示すように背もたれ１の背短部１ｂが上になるので、背もたれ１の高さが低くなる。即ち、背もたれ１の高さがＨ１からＨ２に変化する。一方、図２に示す状態から背もたれ１の上下を逆にすると、図１に示すように背もたれ１の背長部１ａが上になるので、背もたれ１の高さを高くすることができる。即ち、背もたれ１の高さがＨ２からＨ１に変化する。
【００２９】
ブラケット７は背もたれ１の屈曲部分２の裏面に固着されている。このため、背もたれ１の上下を逆にしても背支点の高さはＬで変わらない。即ち、背支点の高さを変えることなく背もたれ１の高さを変えることができる。
【００３０】
また、取付手段６を操作しながら背もたれ１を回転させるだけで背もたれ１の高さを変えることができるので、簡単な作業で背もたれ１の高さを変えることができる。また、背もたれ構造は簡単なものとなり、低コストで製造することができると共に、背もたれ１をしっかりと取り付けることが出来てがた付くことがない。
【００３１】
背もたれ１の上下を逆にする作業は、椅子の購入後に使用者が適宜行うようにしても良い。使用者が背もたれ１の上下を逆にすることで、使用目的等に応じて背もたれ１の高さを変えることができる。
【００３２】
なお、背もたれ１の上下を逆にする作業は、工場の製造ラインで行うようにしても良い。即ち、椅子の製造時に背もたれ１の上下を決めて取り付けるようにしても良い。この場合には、同じ背もたれ１を使用して異なる椅子を製造できる。このため、多くの種類の椅子を製造する場合であっても背もたれ１の種類を少なくすることができ、製造コストを安くすることができる。なお、この場合には、椅子の購入後に使用者が背もたれ１の上下を逆にできるようにしても良いし、背もたれ１を支持部材３に固着等して椅子の購入後に使用者が背もたれ１の上下を逆にすることができないようにしておいても良い。
【００３３】
なお、例えば会社重役用の高級な事務用椅子等としては背もたれ１の高さが高いものが好まれるので、背長部１ａを上にしておく。一方、作業用の椅子等としては腕を後に回すのが容易な背もたれ１の高さが低いものが好まれるので、背短部１ｂを上にしておく。
【００３４】
また、背もたれ１の背長部１ａと背短部１ｂのデザインや幅寸法等を変えておくことで、背もたれ１のデザインや幅の異なる椅子にすることができる。
【００３５】
図５及び図６に、本発明を適用した椅子の背もたれ構造の第２の実施形態を示す。なお、上述の部材と同一の部材には同一の符号を付してある。本実施形態の背もたれ構造は、背もたれ１は上側又は下側に偏倚した位置で屈曲しており、屈曲部分２から上側又は下側にずれた部分を支持部材３の取付位置４に取り付けている。即ち、背もたれ１は上側又は下側に偏倚した位置に背支点を設け、この背支点の部分から上側又は下側にずれた部分を支持部材３の取付位置４に取り付けている。
【００３６】
取付手段６のブラケット７は、図７及び図８に示すように、背もたれ１の屈曲部分２から上側又は下側にずれた部分に固着されている。本実施形態では、ブラケット７は屈曲部分（背支点）２から背短部１ｂ側にずれた部分に固着されている。この場合には、背もたれ１の上下を逆にすると屈曲部分２の高さが変化し、背もたれ１の高さと一緒に背支点の高さも変えることができる。即ち、背もたれ１の高さをＨ１とＨ２とに変化させると共に、背支点の高さ（屈曲部分２の高さ）をＬ１とＬ２とに変化させることができる。
【００３７】
図５に示すように背もたれ１の背長部１ａを上にした場合には、背もたれ１の高さＨ１と屈曲部分２（背支点）の高さＬ１が高くなり、例えば大人用の椅子として使用することができる。また、図６に示すように背もたれ１の背短部１ｂを上にした場合には、背もたれ１の高さＨ２と屈曲部分２の高さＬ２が低くなり、例えば子供用の椅子として使用することができる。このように、簡単な構造で大人用の椅子と子供用の椅子とに変えることができる。
【００３８】
図９及び図１０に、本発明を適用した椅子の背もたれ構造の第３の実施形態を示す。なお、上述の部材と同一の部材には同一の符号を付してある。本実施形態の背もたれ構造も、背もたれ１は上側又は下側に偏倚した位置で屈曲しており、屈曲部分２から上側又は下側にずれた部分を支持部材３の取付位置４に取り付けるものである。即ち、背もたれ１は上側又は下側に偏倚した位置に背支点を設け、この背支点の部分から上側又は下側にずれた部分を支持部材３の取付位置４に取り付けている。
【００３９】
取付手段６を図１１及び図１２に示す。ブラケット７は背もたれ１の屈曲部分２に固着されており、上下を逆にしても常に屈曲部分２の下側になる部分又は上側になる部分を支持部材３に取り付けることができる大きさを有している。本実施形態では、常に屈曲部分２の下側になる部分を支持部材３に取り付けている。このようにすることで、背もたれ１の上下を逆にしても屈曲部分２の高さＬが変化することを防止することができる。即ち、背支点の高さをＬに維持したまま背もたれ１の高さをＨ１とＨ２とに変えることができる。
【００４０】
図１３〜図１５に、本発明を適用した椅子の背もたれ構造の第４の実施形態を示す。なお、上述の部材と同一の部材には同一の符号を付してある。本実施形態の背もたれ構造は、背もたれ１の上側又は下側に偏倚した位置に凸部１２を設け、背もたれ１の上下がいずれの場合にも凸部１２を支持部材３の取付位置４に載せて係止するものである。
【００４１】
凸部１２は例えば肘掛けであり、その前端には貫通孔１３が設けられている。一方、座板５の両側を支持する支持部材３は上方に伸びており、その上端は縮径部３ｂとなっている。縮径部３ｂに凸部１２の貫通孔１３を嵌め込むことで、支持部材３の段部３ａに凸部１２を載せて係止することができる。縮径部３ｂから凸部１２を引き抜いて背もたれ１を外し、その背もたれ１の上下を逆にした後、凸部１２を縮径部３ｂに嵌め込んで背もたれ１を付け直すことで、背もたれ１の高さと背支点の高さを変えることができる。
【００４２】
なお、上述の形態は本発明の好適な形態の一例ではあるがこれに限定されるものではなく本発明の要旨を逸脱しない範囲において種々変形実施可能である。例えば、上述の説明では背もたれ１を屈曲させていたが、背もたれ１を屈曲させなくても良い。
【００４３】
また、上述の説明では、背もたれ１を回転させることで背もたれ１の高さ、又は背もたれ１の高さと背支点の高さを変えるようにしていたが、背もたれ１の高さを変えずに、背支点の高さのみを変えるようにしても良い。即ち、背もたれ１を、回転させて上下左右を変えることで取り付けた状態の背支点の高さが変化するものとしても良い。この場合の実施形態を図１６及び図１７に示す。なお、上述の部材と同一の部材には同一の符号を付してある。
【００４４】
背もたれ１はその屈曲部分２から上側又は下側にずれた部分を支持部材３の取付位置４に取り付けている。本実施形態では、背もたれ１の背長部１ａにブラケット７を固着させ、背もたれ１の上下を逆にしても高さはＨで変わらないようにしている。一方、背長部１ａにブラケット７を固着させることで、背もたれ１の上下を逆にすると背支点の高さはＬ１とＬ２とで変化させることができる。
【００４５】
また、上述の説明では、背もたれ１の上下を逆にしていたが、例えば図１８に示すように、左右と上下を入れ替えるように、即ち背もたれ１を９０度回転させるようにしても良い。この場合には、背もたれ１の高さをＨ１とＨ２とに変えることができると共に、幅をＷ１とＷ２とに変えることができる。
【００４６】
さらに、上述の背もたれ構造では、背もたれ１を支持部材３に対して例えば溶接等によって固着させずに、背もたれ１の上下を繰り返し逆にできるようにしていたが、背もたれ１を支持部材３に対して固着させても良い。例えば、椅子の製造ラインにおいて背もたれ１の上下を決めて支持部材３に固着させるようにしても良い。この場合には、同じ背もたれ１を使用して異なる椅子を製造することがきるので、部品としての背もたれ１の種類を減らすことができ、製造コストの上昇を抑えることができる。
【００４７】
また、上述の説明では、取付手段６のブラケット７を背もたれ１に固着し、このブラケット７に支持部材３を取り付けるようにしていたが、例えば図１９及び図２０に示すように、取付手段６のブラケット７を支持部材３に固着しておき、このブラケット７に対して背もたれ１を例えばねじ等の手段によって固定するようにしても良い。この場合には、ブラケット７が取付位置４となる。この場合にも、背支点の高さをＬに維持したまま背もたれ１の高さをＨ１とＨ２とに変化させることができる。また、図１９及び図２０の場合には、ブラケット７は屈曲部分２の下側になる部分に取り付けられているので、背もたれ１の屈曲部分２よりも上の部分（図１９では背長部１ａ、図２０では背短部１ｂ）を撓みやすくすることができる。
【００４８】
また、例えば図２１に示すように、背もたれ１を屈曲させずに背支点１５を設けるようにしても良い。この場合、背もたれ１の背支点１５の部分の背面を支持部材３の取付位置４に取り付けるようにしても良く、また、背もたれ１の背支点１５の部分の背面から上側又は下側にずれた部分を支持部材３の取付位置４に取り付けるようにしても良い。
【００４９】
また、上述の説明では、背もたれ１の屈曲部分２と背支点を一致させていたが、例えば図２２に示すように、背もたれ１の屈曲部分２と背支点１５とが一致していなくても良い。この場合、背もたれ１の背支点１５の部分の背面を支持部材３の取付位置４に取り付けるようにしても良く、また、背もたれ１の背支点１５の部分の背面から上側又は下側にずれた部分を支持部材３の取付位置４に取り付けるようにしても良い。
【００５０】
さらに、例えば図２３に示すように、背もたれ１の背長部１ａと背短部１ｂの長さを同じにしても良い。即ち、背長部１ａと背短部１ｂを同じ長さＬ３の第１形状背もたれ部１ａと第２形状背もたれ部１ｂにしても良い。第１形状背もたれ部１ａと第２形状背もたれ部１ｂのデザインを変えておくことで、背もたれ１の上下を逆にして椅子の背もたれのデザインを変えることができる。なお、図２３中符号１６はクッションであり、符号１７はスリットである。
【００５１】
【発明の効果】
以上説明したように、請求項１記載の椅子の背もたれ構造では、回転させて上下左右を変えることで取り付けた状態の高さやデザインが変化する背もたれを備えているので、簡単な構造で背もたれの高さやデザイン等を容易に変化させることができる。
【００５２】
また、請求項２記載の椅子の背もたれ構造では、回転させて上下左右を変えることで取り付けた状態の背支点の高さが変化する背もたれを備えているので、簡単な構造で背もたれの背支点の高さを容易に変化させることができる。
【００５３】
また、請求項３記載の椅子の背もたれ構造では、回転させて上下左右を変えることで取り付けた状態の高さやデザインと背支点の高さが変化する背もたれを備えているので、簡単な構造で背もたれの高さやデザイン等と背支点の高さを容易に変化させることができる。
【００５４】
また、請求項４記載の椅子の背もたれ構造では、係止状態では背もたれを支持部材の取付位置に固定し、係止解除状態では背もたれの回転を可能にする取付手段を備えているので、取付手段の操作によって背もたれを回転可能にしたり回転不能にしたりすることができ、使い勝手を良くすることができる。
【００５５】
また、請求項５記載の椅子の背もたれ構造では、背もたれは上側又は下側に偏倚した位置に背支点を設け、この背支点の部分を支持部材の取付位置に取り付けるようにしているので、背支点の高さを変えることなく背もたれの高さやデザイン等を変えることができる。
【００５６】
また、請求項６記載の椅子の背もたれ構造では、背もたれは上側又は下側に偏倚した位置に背支点を設け、この背支点の部分から上側又は下側にずれた部分を支持部材の取付位置に取り付けるようにしているので、常に背支点の部分の下側となる部分又は上側となる部分を支持部材に取り付ける場合には、背支点の高さを変えることなく背もたれの高さやデザイン等を変えることができ、また、常に背もたれの同一部分を支持部材に取り付ける場合には、背もたれの高さやデザイン等と一緒に背支点の高さも変えることができる。
【００５７】
さらに、請求項７記載の椅子の背もたれ構造では、背もたれの上側又は下側に偏倚した位置に凸部を設け、背もたれの上下がいずれの場合にも凸部を支持部材の取付位置に載せて係止するようにしているので、簡単な構造で背もたれの高さやデザイン等を容易に変化させることができる。
【図面の簡単な説明】
【図１】本発明を適用した椅子の背もたれ構造の第１の実施形態を示し、背もたれの背長部を上にした状態の概略構成図である。
【図２】本発明を適用した椅子の背もたれ構造の第１の実施形態を示し、背もたれの背短部を上にした状態の概略構成図である。
【図３】本発明を適用した椅子の背もたれ構造の第１の実施形態を示し、その取付手段の断面図である。
【図４】本発明を適用した椅子の背もたれ構造の第１の実施形態を示し、その取付手段を椅子の背面側からみた図である。
【図５】本発明を適用した椅子の背もたれ構造の第２の実施形態を示し、背もたれの背長部を上にした状態の概略構成図である。
【図６】本発明を適用した椅子の背もたれ構造の第２の実施形態を示し、背もたれの背短部を上にした状態の概略構成図である。
【図７】本発明を適用した椅子の背もたれ構造の第２の実施形態を示し、背もたれの背長部を上にした状態の取付手段の側面図である。
【図８】本発明を適用した椅子の背もたれ構造の第２の実施形態を示し、背もたれの背短部を上にした状態の取付手段の側面図である。
【図９】本発明を適用した椅子の背もたれ構造の第３の実施形態を示し、背もたれの背長部を上にした状態の概略構成図である。
【図１０】本発明を適用した椅子の背もたれ構造の第３の実施形態を示し、背もたれの背短部を上にした状態の概略構成図である。
【図１１】本発明を適用した椅子の背もたれ構造の第３の実施形態を示し、背もたれの背長部を上にした状態の取付手段の側面図である。
【図１２】本発明を適用した椅子の背もたれ構造の第３の実施形態を示し、背もたれの背短部を上にした状態の取付手段の側面図である。
【図１３】本発明を適用した椅子の背もたれ構造の第４の実施形態を示し、背もたれの背長部を上にした状態の斜視図である。
【図１４】本発明を適用した椅子の背もたれ構造の第４の実施形態を示し、背もたれの背短部を上にした状態の斜視図である。
【図１５】本発明を適用した椅子の背もたれ構造の第４の実施形態を示し、凸部を係止する様子を一部切り欠いて示す図である。
【図１６】本発明を適用した椅子の背もたれ構造の第５の実施形態を示し、背もたれの背長部を上にした状態の概略構成図である。
【図１７】本発明を適用した椅子の背もたれ構造の第５の実施形態を示し、背もたれの背短部を上にした状態の概略構成図である。
【図１８】本発明を適用した椅子の背もたれ構造の第６の実施形態を示し、その背もたれの背面図である。
【図１９】本発明を適用した椅子の背もたれ構造の第７の実施形態を示し、背もたれの背長部を上にした状態の概略構成図である。
【図２０】本発明を適用した椅子の背もたれ構造の第７の実施形態を示し、背もたれの背短部を上にした状態の概略構成図である。
【図２１】本発明を適用した椅子の背もたれ構造の第８の実施形態を示し、その背もたれの斜視図である。
【図２２】本発明を適用した椅子の背もたれ構造の第９の実施形態を示し、その背もたれの斜視図である。
【図２３】本発明を適用した椅子の背もたれ構造の第１０の実施形態を示し、その背もたれの斜視図である。
【図２４】従来の椅子の背もたれ構造を一部切り欠いて示す図である。
【図２５】従来の椅子の背もたれ構造を示す分解斜視図である。
【符号の説明】
１  背もたれ
２  屈曲部分（背支点）
３  支持部材
４  支持部材の取付位置
６  取付手段
１２  凸部
１５  背支点
【図１】
2004208878.tif 000003
【図２】
2004208878.tif 000004
【図３】
2004208878.tif 000005
【図４】
2004208878.tif 000006
【図５】
2004208878.tif 000007
【図６】
2004208878.tif 000008
【図７】
2004208878.tif 000009
【図８】
2004208878.tif 000010
【図９】
2004208878.tif 000011
【図１０】
2004208878.tif 000012
【図１１】
2004208878.tif 000013
【図１２】
2004208878.tif 000014
【図１３】
2004208878.tif 000015
【図１４】
2004208878.tif 000016
【図１５】
2004208878.tif 000017
【図１６】
2004208878.tif 000018
【図１７】
2004208878.tif 000019
【図１８】
2004208878.tif 000020
【図１９】
2004208878.tif 000021
【図２０】
2004208878.tif 000022
【図２１】
2004208878.tif 000023
【図２２】
2004208878.tif 000024
【図２３】
2004208878.tif 000025
【図２４】
2004208878.tif 000026
【図２５】
2004208878.tif 000027